(57)【要約】【課題】栽培トンネルの、昼夜間の温度変化による栽培植物の被害を抑制する。【解決手段】栽培植物が通り得る多数の穴２ａ〜２ｈが開いた、栽培床の表面を覆う栽培床シート２；該シート２の上方の、栽培植物が生育する空間を覆う透光性のトンネルシート４；および、栽培床シート２の上に配置されて、給水によりトンネルシート４の内面に向けてそれに衝突する多条の細水流６ａ〜６ｄを噴出し得る散水チューブ５；を備える栽培トンネル。栽培床シート２の多数の穴２ａ〜２ｈは、６列，７列又は８列であって、千鳥配列である。【選択図】　図１
0003096818.tif 000002
【実用新案登録請求の範囲】
【請求項１】
栽培植物が通り得る多数の穴が開いた、栽培床の表面を覆う栽培床シート；
該シートの上方の、栽培植物が生育する空間を覆う透光性のトンネルシート；および、
前記栽培床シートの上に配置されて、給水により前記トンネルシートの内面に向けてそれに衝突する多条の細水流を噴出し得る散水チューブ；
を備える栽培トンネル。
【請求項２】
前記散水チューブは、前記栽培床の長手方向に延びかつ栽培床の、該長手方向と直交する幅の略中央にあり；前記栽培植物が通り得る多数の穴は、散水チューブの左右に各３列の、散水チューブと平行な６列に分布する；請求項１に記載の栽培トンネル。
【請求項３】
前記散水チューブは、前記栽培床の長手方向に延び；前記栽培植物が通り得る多数の穴は、散水チューブと平行な７列に分布し；散水チューブは３列群と４列群の間にある；請求項１に記載の栽培トンネル。
【請求項４】
前記散水チューブは、前記栽培床の長手方向に延びかつ栽培床の、該長手方向と直交する幅の略中央にあり；前記栽培植物が通り得る多数の穴は、散水チューブの左右に各４列の、散水チューブと平行な８列に分布する；請求項１に記載の栽培トンネル。
【請求項５】
前記栽培植物が通り得る多数の穴は、前記栽培床シートに千鳥配列で分布する、請求項１乃至４のいずれかに記載の栽培トンネル。
【考案の詳細な説明】
【０００１】
【考案の属する技術分野】
本考案は、植物の栽培トンネルに関する。この栽培トンネルは例えば、トマト，キュウリ，インゲン，コーン，枝豆，大根，玉葱，メロン，スイカおよびその他の野菜の栽培に適する。
【０００２】
【従来の技術】
栽培床の上方の、栽培植物の生育空間を透光シートで覆って保温，風よけを行うトンネル栽培が知られている。また、栽培床の表面をシートで覆って雑草繁茂の抑制，根部の保温，保水あるいは遮水を行うマルチ栽培が知られている。トンネル栽培とマルチ栽培の複合、すなわち、栽培床の表面をマルチシートで覆うとともに、栽培床の上方の栽培植物の生育空間を透光シートで覆う、マルチ・トンネル栽培も知られている。
【０００３】
マルチ・トンネル栽培によれば、栽培床の水分が適正に保たれしかもトンネル内温度が適正に管理されれば、栽培植物の発芽，根付き，成長がよい。
【０００４】
【考案が解決しようとする課題】
しかし、栽培床をマルチシートで覆うとき土中水分が少ないと、十分な散水をしてからマルチシートで覆うか、栽培トンネルが完成してから栽培トンネルの外の地面に多量の散水をしてトンネル内の栽培床に浸透するのを待つか、あるいは、トンネルを部分的に空けてそこにシャワーヘッドを挿入するなど、散水（給水）に手間がかかる。
【０００５】
一方、よい天気の太陽直射によって急速にトンネル内温度が上昇するので、トンネルシートに丸穴をあけて行くとか、トンネルシートを部分的にめくり上げるなどして外気との通気を図るが、季節によっては、夜間の冷え込みによってトンネル内温度が下がるので、昼間あけた通気開口を閉じなければならない場合もある。
【０００６】
特に、早春や晩秋などでは、昼間の太陽直射が比較的に強く外気との通気をしなければトンネル内温度が高くなりすぎてしまうが、夜間は外気温度の低下が激しく、トンネルを閉じていてもトンネル内温度低下が大きく、外気との通気をしているとなおさら温度低下が大きくて栽培床が冷え切ってしまう。従って、細心の管理をしないと、昼間に栽培植物が高温によって萎れてしまうとか、夜間に霜枯れになってしまうことがある。
【０００７】
本考案は、このような昼夜間の環境変化による栽培植物の被害を抑制できる栽培トンネルを提供することを目的とする。
【０００８】
【課題を解決するための手段】
（１）栽培植物が通り得る多数の穴（２ａ〜２ｆ）が開いた、栽培床の表面を覆う栽培床シート（２）；
該シート（２）の上方の、栽培植物が生育する空間を覆う透光性のトンネルシート（４）；および、
前記栽培床シート（２）の上に配置されて、給水により前記トンネルシート（４）の内面に向けてそれに衝突する多条の細水流を噴出し得る散水チューブ（５）；
を備える栽培トンネル。
【０００９】
なお、理解を容易にするためにカッコ内には、図面に示し後述する実施例の対応要素の符号を、例示として参考までに付記した。以下も同様である。
【００１０】
これによれば、散水の必要があるときには、散水チューブ（５）に給水すればよいので、散水作業に手間がかからない。
【００１１】
昼間の太陽直射が強いなど、トンネル内温度が高くなるときには、散水チューブ（５）に給水する。これにより、散水チューブ（５）からトンネルシート（４）の内面に向けて多条の細水流が噴出してトンネルシートに衝突する。この衝突により噴水が噴霧になって飛び散り、そして栽培床シート（２）すなわちマルチシートに落下して穴（２ａ〜２ｆ）を通って栽培床に浸透する。噴霧の一部はトンネルシートを伝ってから栽培床に浸透する。これによって栽培植物への給水が行われるのは勿論、噴霧水がトンネル内の空気の熱，トンネルシートの熱およびマルチシート表面の熱を奪って栽培床に運ぶ。すなわち、トンネル内部を冷却し、栽培床に蓄熱する。
【００１２】
このように散水によってトンネルが冷却されるので、昼間の太陽直射が強いときには、外気との通気を図るための開口は、最小限に留めるのがよい。夜間に外気温度が下がるが、マルチシート直下の栽培床には昼間の散水によって温められた水があるので、それによってトンネル内が保温される。マルチシートは熱放散を抑制するので夜間の保温効果が長く続く。昼間は散水によりトンネルを冷却する分、外気との通気を計るための開口は最小限にしておくことにより、夜間では該開口からの放熱が少なく、トンネルの温度低下が小さい。したがって、外気との通気を計るための開口を少なくする分、夜間の外気温度の低下に対する対策が楽になる。不注意によって霜枯れしてしまう可能性が低くなる。
【００１３】
【考案の実施の形態】
（２）前記散水チューブ（５）は、前記栽培床の長手方向（ｙ）に延びかつ栽培床の、該長手方向と直交する幅の略中央にあり；前記栽培植物が通り得る多数の穴（２ａ〜２ｆ）は、散水チューブの左右に各３列の、散水チューブ（５）と平行な６列に分布する；上記（１）に記載の栽培トンネル（図１）。
【００１４】
これによれば、トンネル寸法（幅と高さ）を、耐風性がきわめて高い小さいものとすることが出来る。また、小さい散水チューブ（５）で低圧の給水で十分な散水および散水冷却をすることが出来る。
【００１５】
（３）前記散水チューブ（５）は、前記栽培床の長手方向（ｙ）に延び；前記栽培植物が通り得る多数の穴（２ａ〜２ｇ）は、散水チューブ（５）と平行な７列に分布し；散水チューブ（５）は３列群と４列群の間にある；上記（１）に記載の栽培トンネル（図２の（ａ））。
【００１６】
これによれば、トンネル寸法（幅と高さ）を、耐風性が高いやや小さいものとすることが出来る。また、散水チューブ（５）での給水水圧をやや高くすれば、十分な散水および散水冷却をすることが出来る。
【００１７】
（４）前記散水チューブ（５）は、前記栽培床の長手方向（ｙ）に延びかつ栽培床の、該長手方向と直交する幅の略中央にあり；前記栽培植物が通り得る多数の穴（２ａ〜２ｈ）は、散水チューブの左右に各４列の、散水チューブ（５）と平行な８列に分布する；上記（１）に記載の栽培トンネル（図２の（ｂ））。
【００１８】
これによれば、１つのトンネルでの栽培植物量を多く出来る。しかし、トンネル寸法（幅と高さ）がやや大きくなる。散水チューブ（５）への給水水圧を高くすれば、十分な散水および散水冷却をすることが出来る。
【００１９】
（５）前記栽培植物が通り得る多数の穴（２ａ〜２ｆ）は、前記栽培床シート（２）に千鳥配列で分布する、上記（１）乃至（４）のいずれかに記載の栽培トンネル。
【００２０】
作物によっては、隣合う２列の一方は空けたものとして、あるいは３列の中央列に作物を植えて両側２列には作物を植えなくてもよい。作物を植えない穴は、散水を集めて栽培床（１）に均一に浸透させ、これによって栽培床（１）の水分が均一で保熱も均一になるという効果がある。
【００２１】
本考案の他の目的および特徴は、図面を参照した以下の実施例の説明より明らかになろう。
【００２２】
【実施例】
図１の（ａ）に本考案の１実施例を示す。畑地をならして畝にした栽培床土１の表面を、多数の植穴２ａ〜２ｆが開いた黒色のマルチシート２が覆っている。逆Ｕ字型に曲げた骨材３ａ，３ｂで下支えした透光性のトンネルシート４が、その両側縁部をマルチシート２の縁部と同様に、土中に埋める（土を被せる）ことによって、かまぼこ型のトンネルを形成している。マルチシート２の上には、その幅の中央部に散水チューブ５が置かれている。
【００２３】
図１の（ｂ）には、栽培植物の図示は省略して、図１の（ａ）に示すマルチシート２の多数の植穴２ａ〜２ｆの分布を示す。この実施例では、トンネルの長手方向ｙに延びる６列の植穴２ａ〜２ｆがマルチシート２に開けられており、その中の右側３列と左側３列の間に散水チューブ５がある。
【００２４】
散水チューブ５は、その長手方向ｙに延びる４列の多数の噴水穴（点）５ａ〜５ｄを開けた上半体用の可撓性の樹脂又はゴムの帯シートに、噴水穴は無いが補強ベルトを内張りした下半体用の可撓性の樹脂又はゴムの帯シートを端縁部で固着して、給水すると管状に膨れる平たい中空ホースにしたものである。マルチシート２上に配置する前は、平らな形状で渦巻き状に巻かれている。マルチシート２上に図１に示すように配置するときには、タイヤ輪を転がすように渦巻きを転がして直線状に伸ばす。トンネルから回収するときには、渦巻き状に巻き上げる。これにより、マルチシート２上への配設，回収，運搬，保管等が容易である。
【００２５】
図１の（ａ）は、畑地をならして畝にした栽培床土１の表面を、多数の植穴２ａ〜２ｆが開いた黒色のマルチシート２で覆ってから、各植穴の下の土にコーンの種を埋めて、この播種の前又は後に、散水チューブ５を巻き戻してその散水穴がある面を上向きにして直線状に伸ばして配置し、それから、逆Ｕ字型に曲げた骨材３ａ，３ｂで下支えした透光性のトンネルシート４を敷設し、そして適当量の散水をしたものである。
【００２６】
日中の、トンネル内温度が高いときに散水をすることによって、夜中は栽培床土１の温度が高く、コーンの発芽と成長が速かった。散水のときには、散水チューブ５に給水するバルブの取っ手を少しずつ廻して散水チューブ５への給水量（水圧）を次第に高くし、多数の噴水穴５ａ〜５ｄのそれぞれから糸状に噴出する噴水６ａ〜６ｄがトンネルシート４に衝突し噴霧になる音が発生するようになると、そこで給水量の上げを止め、その状態を適当な時間継続して、栽培床土１の水分量が十分になると散水をとめた。この散水によっても適当な温度に下がらないとトンネルシート４に最小限の数の丸穴を開けた。
【００２７】
なお、図１の（ａ）には、噴水６ａ〜６ｄは散水チューブ５の長手方向ｙの一箇所で噴出しているように図示しているが、散水のときには、散水チューブ５の全長にわたって同様に噴出する。
【００２８】
その後も、散水によっても適当な温度に下がらなくなると、トンネルシート４にさらに丸穴をあけていく。その後夜中の外気温がコーンの生育に適する温度になると、長手方向全長に渡って、トンネルシート４の頂部を開けるか、トンネルシート４を除去して、コーンがトンネルの上方に成長して行くのを容易にする。
【００２９】
強風によってトンネルシート４が煽られるので、トンネルサイズは小さいほど、耐風性を高くすることが容易である。しかし、１つのトンネルでの栽培植物量は少ない。
【００３０】
本考案者の設計によれば、トマト，キュウリ，インゲン，コーン，枝豆，大根，玉葱，メロン，スイカおよびその他の野菜の栽培には、図１の（ｂ）に示す６列の植穴に限らず、図２の（ａ）に示す７列の植穴、および、図２の（ｂ）に示す８列の植穴の場合に、耐風性が高くしかも散水冷却も十分な栽培トンネルを実現できる。なお、いずれの例でも植穴は、隣接２列の一方の列のｙ方向の穴分布の中間位置に他方の穴がある千鳥配列にしている。作物によっては、隣合う２列の一方は空けたものとして、あるいは隣接３列の真中の列に作物を植えて両側の列には作物を植えなくてもよい。作物を植えない穴によって、散水を集めて栽培床土１に均一に浸透させ、これによって栽培床土１の水分が均一で保熱も均一になるという効果がある。
【図面の簡単な説明】
【図１】（ａ）は本考案の一実施例の栽培トンネルの一部分を示す斜視図であり、（ｂ）は（ａ）に示すマルチシート２の平面図である。
【図２】（ａ）は本考案の栽培トンネルに用いるマルチシート２の第１変形例を示す平面図、（ｂ）はマルチシート２の第２変形例を示す平面図である。
【符号の説明】
１：栽培床土　　　　２：マルチシート
２ａ〜２ｈ：植穴　　３ａ，３ｂ：骨材
４：トンネルシート　５：散水チューブ
５ａ〜５ｄ：噴水穴　６ａ〜６ｄ：噴水
【図１】
0003096818.tif 000003
【図２】
0003096818.tif 000004